(57)【要約】【課題】ボール自体にゴルフクラブのヘッドの入射角度及び軌道方向を視覚的に認識させるガイド部材を取り付けることに着目し、ボールを浮かせるショットについて効果的な練習ができるバンカーショット・アプローチショット練習器具を提供する。【解決手段】ボールに取り付けるバンカーショット又はアプローチショット練習用のガイド部材１０であって、ガイド部材１０はボールに対するゴルフクラブのヘッドの入射角度及び軌道方向を視覚的に認識させて該ボールのインパクトポイントを容易にイメージできる機能を有するスイングガイド片１２を備えていることを特徴とする。【選択図】図１
2012165768.tif 000002
【特許請求の範囲】
【請求項１】
ボールに取り付けるバンカーショット又はアプローチショット練習用のガイド部材であって、前記ガイド部材は前記ボールに対するゴルフクラブのヘッドの入射角度及び軌道方向を視覚的に認識させて前記ボールのインパクトポイントを容易にイメージできる機能を有するスイングガイド片を備えていることを特徴とするバンカーショット・アプローチショット練習器具。
【請求項２】
前記ガイド部材は、前記ボールに着脱可能に取り付けられることを特徴とする請求項１に記載のバンカーショット・アプローチショット練習器具。
【請求項３】
前記ガイド部材は、前記ボールと一体的に取り付けられることを特徴とする請求項１に記載のバンカーショット・アプローチショット練習器具。
【請求項４】
前記ガイド部材は、前記ボールのインパクト時又は前記ボールの落下時における衝撃を吸収可能な材質により形成されていることを特徴とする請求項１乃至請求項３のいずれか１項に記載のバンカーショット・アプローチショット練習器具。
【請求項５】
前記ガイド部材のスイングガイド片は、前記ボールの垂直方向の中心軸に対して一対に設けられていることを特徴とする請求項１乃至請求項４のいずれか１項に記載のバンカーショット・アプローチショット練習器具。
【請求項６】
前記ガイド部材のスイングガイド片は、前記ボールのインパクトポイント側の一方のみに設けられていることを特徴とする請求項１乃至請求項４のいずれか１項に記載のバンカーショット・アプローチショット練習器具。
【請求項７】
前記ガイド部材のスイングガイド片は、前記ボールに対するゴルフクラブのヘッドの入射角度を変更するための角度調整が可能であることを特徴とする請求項１乃至請求項６のいずれか１項に記載のバンカーショット・アプローチショット練習器具。
【発明の詳細な説明】
【技術分野】
【０００１】
本発明は、ボールを浮かせるショットについて効果的な練習ができるバンカーショット・アプローチショット練習器具に関するものである。
【背景技術】
【０００２】
現場のコースでのスコアメイクには、アプローチショットが重要であることから、アプローチショットの精度を向上させるためのゴルフ練習具が以下に示すように様々提案されている。
【０００３】
特開２００９−２９７１７３号公報（特許文献１）には、アプローチショットを練習することができるゴルフ用アプローチ練習具を提供することを目的とし、複数の的面部を有する角面錐状のゴルフ用アプローチ練習具であって各的面部にはボールを投入するための的孔が形成され、的孔にはゴルフボールを捕捉するための収容網が取り付けられていることを特徴とする「ゴルフ用アプローチ練習具」が提案されている。
【０００４】
また、特開２００８−６１９６３号公報（特許文献２）には、使用者が適度なグリッピング力にてゴルフクラブのグリップを握って、ストロークやアプローチの練習を正しく行い得るようにしたゴルフ練習用具を提供することを目的とし、上下方向に傾斜した状態に位置せしめられる、剛性を有する長手の縦方向本体部の下端部に、練習対象となるゴルフクラブのシャフトが載置されて支持されるシャフト保持部が設けられている一方、縦方向本体部の上端部が、使用者の前胸部を横切るように位置せしめられる長手の横方向本体部の中間部位に取り付けられ、更に横方向本体部の両端部に、使用者の上腕部に係止されるアーム係止部がそれぞれ設けられてなると共に、使用者の両腕間の締付け力によって弾性的に撓み得る弾性変形部が、それら横方向本体部とアーム係止部の少なくとも何れか一方に設けられていることを特徴とする「ゴルフ練習用具」が提案されている。
【０００５】
また、特開２００４−２２３２７２号公報（特許文献３）には、実際のゴルフボールを打ったときに、アプローチやパターの精度を向上させることの出来る練習用ゴルフボールを提供することを目的とし、コア部分を重い金属としその回りをゴム類で包み外表面を表面部材である塗装材によって塗装又はカバー材によりカバーした小径ボールで、質量と弾性を考慮し実祭のゴルフボール同様の打球感を持たせたことを特徴とする「練習用小型ボール」が提案されている。
【０００６】
また、特開２００３−１９０３４８公報（特許文献４）には、小型軽量で取り扱いが容易であると共に、不使用時にはコンパクトに折り畳むことが出来、打ったゴルフボールが練習者の足元まで自然に戻ってくるように工夫されたゴルフのアプローチショット練習用具を提供することを目的とし、起立状に設置される起立フレーム１に起立フレームの正面から練習者方へ向けて下向き傾斜状に配置される傾斜フレーム２を折り畳み可能に連結し、起立フレームと傾斜フレームにわたって一連にゴルフボールを受け止めるためのボール受けシート３を張設してなることを特徴とする「ゴルフのアプローチショット練習用具」が提案されている。
【０００７】
また、実開平７−１９６３号公報（特許文献５）には、バンカーショットの練習ができるゴルフ練習用具を提供することを目的とし、合成樹脂で成るクラブフェイス形に形成した緩衝体で、側面にＵ字状溝と裏面にファスナー付きの締着バンドを備えたことを特徴とする「ゴルフ練習用具」が提案されている。
【０００８】
また、実用新案登録第３１２５１５８号公報（特許文献６）には、確実なアプローチショットを打てるようになるための練習器具を提供することを目的とし、ゴルフクラブ本体と、ゴルフクラブ本体のグリップ部の端部に、ゴルフクラブ本体と直線状に着脱可能に取り付けられ、セットアップ時にはプレーヤーの腹部左方に配置されうると共にフォロースルー時には腹部左方に配置されうるように形成された棒状の延長部とを有し、インパクト時に手首を固定した状態でスイングするように練習できることを特徴とする「ゴルフクラブ」が提案されている。
【先行技術文献】
【特許文献】
【０００９】
【特許文献１】特開２００９−２９７１７３号公報
【特許文献２】特開２００８−６１９６３号公報
【特許文献３】特開２００４−２２３２７２号公報
【特許文献４】特開２００３−１９０３４８公報
【特許文献５】実開平７−１９６３号公報
【特許文献６】実用新案登録第３１２５１５８号公報
【発明の概要】
【発明が解決しようとする課題】
【００１０】
上記特許文献に記載されているゴルフ練習具は、ボール自体に工夫を施したものは少なく、又ボールに何らかのガイドを取り付けてアプローチショットを練習するものはなかった。
そこで、本発明は、ボール自体にゴルフクラブのヘッドの入射角度及び軌道方向を視覚的に認識させるガイド部材を取り付けることに着目し、ボールを浮かせるショットについて効果的な練習ができるバンカーショット・アプローチショット練習器具を提供することを目的とする。
【課題を解決するための手段】
【００１１】
上記の課題を解決するために、請求項１に記載の発明は、ボールに取り付けるバンカーショット又はアプローチショット練習用のガイド部材であって、前記ガイド部材は前記ボールに対するゴルフクラブのヘッドの入射角度及び軌道方向を視覚的に認識させて前記ボールのインパクトポイントを容易にイメージできる機能を有するスイングガイド片を備えていることを特徴とする。
【００１２】
また、請求項２に記載の発明は、請求項１に記載の前記ガイド部材は、前記ボールに着脱可能に取り付けられることを特徴とする。
【００１３】
また、請求項３に記載の発明は、請求項１に記載の前記ガイド部材は、前記ボールと一体的に取り付けられることを特徴とする。
【００１４】
また、請求項４に記載の発明は、請求項１乃至請求項３に記載の前記ガイド部材は、前記ボールのインパクト時又は前記ボールの落下時における衝撃を吸収可能な材質により形成されていることを特徴とする。
【００１５】
また、請求項５に記載の発明は、請求項１乃至請求項４に記載の前記ガイド部材のスイングガイド片は、前記ボールの垂直方向の中心軸に対して一対に設けられていることを特徴とする。
【００１６】
また、請求項６に記載の発明は、請求項１乃至請求項４に記載の前記ガイド部材のスイングガイド片は、前記ボールのインパクトポイント側の一方のみに設けられていることを特徴とする。
【００１７】
また、請求項７に記載の発明は、請求項１乃至請求項６に記載の前記ガイド部材のスイングガイド片は、前記ボールに対するゴルフクラブのヘッドの入射角度を変更するための角度調整が可能であることを特徴とする。
【発明の効果】
【００１８】
以上のように、本発明にかかるバンカーショット・アプローチショット練習器具によれば、ボールにガイド部材を取り付けるというシンプルな構造からなり、ボールに対するゴルフクラブのヘッドの入射角度及び軌道方向を視覚的に認識させて該ボールのインパクトポイントを容易にイメージできる機能を有するスイングガイド片を備えるようにしたので、ゴルフ練習者は常に正確なライン及びインパクトポイントを視覚により認識することができ、ボールを浮かせるショットについて効果的な練習を行うことが可能になる。
【図面の簡単な説明】
【００１９】
【図１】本発明にかかるバンカーショット・アプローチショット練習器具の第１実施形態を示す（ａ）平面図・（ｂ）正面図である。
【図２】図１に示す練習器具の使用状態を示す説明図である。
【図３】本発明にかかるバンカーショット・アプローチショット練習器具の第２実施形態を示す（ａ）平面図・（ｂ）正面図である。
【図４】図３に示す練習器具の使用状態を示す説明図である。
【図５】本発明にかかるバンカーショット・アプローチショット練習器具の第３実施形態を示す（ａ）正面図・（ｂ）平面図である。
【発明を実施するための形態】
【００２０】
以下、本発明の実施の一形態について図面を参酌しながら説明する。
【００２１】
（第１実施形態）
図１は、本発明にかかるバンカーショット・アプローチショット練習器具の第１実施形態を示す（ａ）平面図・（ｂ）正面図である。図２は、図１に示す練習器具の使用状態を示す説明図である。
図１及び図２に示すように、バンカーショット又はアプローチショット練習用のガイド部材１０の中央部には、ボールＡの直径より小さい寸法に設定されそのボールＡの下部を嵌め込むことができる孔部１１が形成されている。なお、孔部１１の形状は、図１に示す円形に限定されるものではなく、楕円形、三角形、四角形等の任意の形状から適宜選択できる。また、ボールＡは、本物のゴルフボールだけでなく、練習用の擬似ボールであってもよい。
【００２２】
また、ガイド部材１０の両側部には、ガイド部材１０の孔部１１に嵌め込んだボールＡの垂直方向の中心軸に対して一対のスイングガイド片１２が設けられている。ここで、スイングガイド片１２とは、ボールＡに対するゴルフクラブのヘッドの入射角度及び軌道方向を視覚的に認識させて（図１及び図２の矢印参照）、ボールＡのインパクトポイントを容易にイメージできる機能を有するものである。なお、スイングガイド片１２の形状は、図１に示す形状に限定されるものではなく、ゴルフクラブのヘッドの入射角度及び軌道方向のラインを視覚的に認識させることができる形状であればよい。
【００２３】
また、図１に示すように、ガイド部材１０の孔部１１の縁部周辺には、ガイド部材１０をボールＡに着脱可能に取り付けるための接合手段１３が設けられている。この接合手段１３としては、例えば、両面テープ、面ファスナー、接着剤などが考えられ、ガイド部材１０をボールＡに対して簡単に固定できるとともに、使用後は取り外しが可能なものを採用する。
【００２４】
また、ガイド部材１０の材質としては、耐衝撃性が高く軽量で加工が容易なもの、例えば、発泡体、スポンジ、シリコンなどの材質を採用する。これにより、ボールＡのインパクト時又はボールＡの落下時における衝撃吸収が可能となり、安全に繰り返して使用することができる。
【００２５】
また、図２に示すように、ガイド部材１０のスイングガイド片１２は、接合手段１３によるボールＡとの接合位置を上下方向にずらして固定することにより、ボールＡに対するゴルフクラブのヘッドの入射角度（α）を変更することができ、ゴルフ練習者の所望の角度に調整することが可能になる。
【００２６】
以上のようなガイド部材１０をボールＡに取り付けてセットすると、ゴルフ練習者は、スイングガイド片１２によりボールＡに対するゴルフクラブのヘッドの入射角度及び軌道方向のラインを視覚的に認識することができる。このため、ボールＡのインパクトポイントを容易にイメージできることになり、ボールＡを浮かせるショットについて効果的な練習を行うことが可能になる。
【００２７】
（第２実施形態）
図３は、本発明にかかるバンカーショット・アプローチショット練習器具の第２実施形態を示す（ａ）平面図・（ｂ）正面図である。図４は、図３に示す練習器具の使用状態を示す説明図である。
図３及び図４に示すように、バンカーショット又はアプローチショット練習用のガイド部材２０の片側部（ボールＡのインパクトポイント側）には、スイングガイド片２２が設けられている。ここで、スイングガイド片２２とは、ボールＡに対するゴルフクラブのヘッドの入射角度及び軌道方向を視覚的に認識させて（図３及び図４の矢印参照）、ボールＡのインパクトポイントを容易にイメージできる機能を有するものである。なお、スイングガイド片２２の形状は、図３に示す形状に限定されるものではなく、ゴルフクラブのヘッドの入射角度及び軌道方向のラインを視覚的に認識させることができる形状であればよい。
【００２８】
ガイド部材２０のスイングガイド片２２と反対の片側部には、ボールＡの直径より小さい寸法に設定されそのボールＡの下部を挟み込むことができる切欠部２１が形成されている。なお、切欠部２１の形状は、図３に示す半円形に限定されるものではなく、半楕円形、三角形、四角形等の任意の形状から適宜選択できる。また、ボールＡは、本物のゴルフボールだけでなく、練習用の擬似ゴルフボールであってもよい。
【００２９】
また、図３に示すように、ガイド部材２０の切欠部２１の縁部周辺には、ガイド部材２０をボールＡに着脱可能に取り付けるための接合手段２３が設けられている。この接合手段２３としては、例えば、両面テープ、面ファスナー、接着剤などが考えられ、ガイド部材２０をボールＡに対して簡単に固定できるとともに、使用後は取り外しが可能なものを採用する。
【００３０】
また、ガイド部材２０の材質としては、耐衝撃性が高く軽量で加工が容易なもの、例えば、発泡体、スポンジ、シリコンなどの材質を採用する。これにより、ボールＡのインパクト時又はボールＡの落下時における衝撃吸収が可能となり、安全に繰り返して使用することができる。
【００３１】
また、図４に示すように、ガイド部材２０のスイングガイド片２２は、接合手段２３によるボールＡとの接合位置を上下方向にずらして固定することにより、ボールＡに対するゴルフクラブのヘッドの入射角度（α）を変更することができ、ゴルフ練習者の所望の角度に調整することが可能になる。
【００３２】
以上のようなガイド部材２０をボールＡに取り付けてセットすると、ゴルフ練習者は、スイングガイド片２２によりボールＡに対するゴルフクラブのヘッドの入射角度及び軌道方向のラインを視覚的に認識することができる。このため、ボールＡのインパクトポイントを容易にイメージできることになり、ボールＡを浮かせるショットについて効果的な練習を行うことが可能になる。
【００３３】
（第３実施形態）
図５は、本発明にかかるバンカーショット・アプローチショット練習器具の第３実施形態を示す（ａ）正面図・（ｂ）平面図である。
図５に示すように、ボール３０はボール上部３１とボール下部３２の２つのパーツに分割されており、このパーツの間にガイド部材３３が挟持されボール３０と一体的に取り付けられている。なお、ボール３０は、本物のゴルフボールだけでなく、練習用の擬似ボールであってもよい。
【００３４】
また、ガイド部材３３の両側部には、ボール３０の垂直方向の中心軸に対して一対のスイングガイド片３４が設けられている。ここで、スイングガイド片３４とは、ボール３０に対するゴルフクラブのヘッドの入射角度及び軌道方向を視覚的に認識させて（図５の矢印参照）、ボール３０のインパクトポイントを容易にイメージできる機能を有するものである。なお、スイングガイド片３４の形状は、図５に示す形状に限定されるものではなく、ゴルフクラブのヘッドの入射角度及び軌道方向のラインを視覚的に認識させることができる形状であればよい。また、スイングガイド片３４は、ガイド部材３３の片側部（ボール３０のインパクトポイント側）の一方のみに設けることができる。
【００３５】
また、ガイド部材３３の材質としては、耐衝撃性が高く軽量で加工が容易なもの、例えば、発泡体、スポンジ、シリコンなどの材質を採用する。これにより、ボール３０のインパクト時又はボール３０の落下時における衝撃吸収が可能となり、安全に繰り返して使用することができる。
【００３６】
以上のような練習器具を使用すると、ゴルフ練習者は、スイングガイド片３４によりボール３０に対するゴルフクラブのヘッドの入射角度及び軌道方向のラインを視覚的に認識することができる。このため、ボール３０のインパクトポイントを容易にイメージできることになり、ボール３０を浮かせるショットについて効果的な練習を行うことが可能になる。
【符号の説明】
【００３７】
Ａ  ボール
１０  ガイド部材
１１  孔部
１２  スイングガイド片
１３  接合手段
２０  ガイド部材
２１  切欠部
２２  スイングガイド片
２３  接合手段
３０  ボール
３１  ボール上部
３２  ボール下部
３３  ガイド部材
３４  スイングガイド片
【図１】
2012165768.tif 000003
【図２】
2012165768.tif 000004
【図３】
2012165768.tif 000005
【図４】
2012165768.tif 000006
【図５】
2012165768.tif 000007